(57)【要約】【課題】従来の技術による諸問題を解決するため、多重ＳＳＩＤをサポートするアクセスポイント（ＡＰ）とステーション間の無線セキュリティーの設定方法を提供する。【解決手段】方法は、ステーションは第一ＳＳＩＤ及び関連情報を含んだ第一パケットを送信し、ＡＰは第一ＳＳＩＤを含んだ第二パケットを送信し、ステーションと第一ＳＳＩＤ間の接続が確立されたことを当該ステーションに知らせ、ステーションは第三パケットを送信し、ＡＰは第二ＳＳＩＤ及び関連セキュリティー情報を含んだ第四パケットを送信し、ステーションは第二ＳＳＩＤ及び関連セキュリティー情報を含んだ第五パケットを送信し、ＡＰは第二ＳＳＩＤを含んだ第六パケットを送信し、ステーションと第二ＳＳＩＤ間の接続が確立されたことを当該ステーションに知らせるステップを含む。【選択図】図８
2007189658.tif 000002
【特許請求の範囲】
【請求項１】
無線セキュリティーの設定方法であって、
ステーションは第一ＳＳＩＤ（サービスセット識別子）及び関連情報を含んだ第一パケットを送信し、
第一パケットに応じ、アクセスポイントは第一ＳＳＩＤを利用して当該第一ＳＳＩＤを含んだ第二パケットを送信し、ステーションと第一ＳＳＩＤ間の接続が確立されたことを当該ステーションに知らせ、
第一ＳＳＩＤと別個のＳＳＩＤ及び関連セキュリティー情報を求めるため、ステーションは第一ＳＳＩＤとの接続を通して第三パケットを送信し、
第三パケットに応じ、アクセスポイントは第一ＳＳＩＤを利用して第二ＳＳＩＤ及び関連セキュリティー情報を含んだ第四パケットを送信し、
ステーションは第二ＳＳＩＤ及び関連セキュリティー情報を含んだ第五パケットを送信し、
第五パケットに応じ、アクセスポイントは第二ＳＳＩＤを含んだ第六パケットを送信し、ステーションと第二ＳＳＩＤ間の接続が確立されたことを当該ステーションに知らせるステップを含むことを特徴とする方法。
【請求項２】
前記ＳＳＩＤ関連の情報は当該ＳＳＩＤの関連セキュリティーモード及びキーを含むことを特徴とする請求項１記載の方法。
【請求項３】
前記第一パケットは、第一ＳＳＩＤを利用してアクセスポイントとの接続を確立するように求めるリクエストパケットであることを特徴とする請求項１記載の方法。
【請求項４】
前記第五パケットは、第二ＳＳＩＤを利用してアクセスポイントとの接続を確立するように求めるリクエストパケットであることを特徴とする請求項１記載の方法。
【請求項５】
前記方法は更に、第一ＳＳＩＤを利用して第二パケットを送信すると同時に、アクセスポイントは第一ＳＳＩＤと別個のＳＳＩＤを利用し、パケットをその他のステーションに送信するステップを含むことを特徴とする請求項１記載の方法。
【請求項６】
前記方法は更にステーションをトリガーするステップを含み、そのうち第一パケットを送信するステーションはトリガーに応じて第一パケットを送信することを特徴とする請求項１記載の方法。
【請求項７】
前記ステーションに対するトリガーはハードウェアで行われることを特徴とする請求項６記載の方法。
【請求項８】
前記ステーションに対するトリガーはソフトウェアで行われることを特徴とする請求項６記載の方法。
【請求項９】
前記ステーションはアクセスポイントとの接続に失敗した場合に第一パケットを送信することを特徴とする請求項１記載の方法。
【請求項１０】
前記方法は更に、アクセスポイントは第二ＳＳＩＤを定めるステップを含むことを特徴とする請求項１記載の方法。
【請求項１１】
前記第一ＳＳＩＤと関連情報はいずれも既知であることを特徴とする請求項１記載の方法。
【請求項１２】
ステーションとアクセスポイント間の無線接続を設定する方法であって、
ステーションは第一ＳＳＩＤ及び関連情報を含んだ第一パケットを送信し、
ステーションは第一ＳＳＩＤとの接続が確立されたことを知らせる第二パケットをアクセスポイントから受信し、
第一ＳＳＩＤと別個のＳＳＩＤ及び関連セキュリティー情報を求めるため、ステーションは第一ＳＳＩＤとの接続を通して第三パケットを送信し、
ステーションは第二ＳＳＩＤ及び関連セキュリティー情報を含んだ第四パケットをアクセスポイントから受信し、
ステーションは第二ＳＳＩＤ及び関連セキュリティー情報を含んだ第五パケットを送信し、
ステーションは第二ＳＳＩＤとの接続が確立されたことを知らせる第六パケットをアクセスポイントから受信するステップを含むことを特徴とする方法。
【請求項１３】
前記ＳＳＩＤ関連の情報は当該ＳＳＩＤの関連セキュリティーモード及びキーを含むことを特徴とする請求項１２記載の方法。
【請求項１４】
前記第一パケットは、第一ＳＳＩＤを利用してアクセスポイントとの接続を確立するように求めるリクエストパケットであることを特徴とする請求項１２記載の方法。
【請求項１５】
前記第五パケットは、第二ＳＳＩＤを利用してアクセスポイントとの接続を確立するように求めるリクエストパケットであることを特徴とする請求項１２記載の方法。
【請求項１６】
前記第一パケットを送信するステーションはトリガーに応じて第一パケットを送信することを特徴とする請求項１２記載の方法。
【請求項１７】
前記トリガーはハードウェアによるものであることを特徴とする請求項１６記載の方法。
【請求項１８】
前記トリガーはソフトウェアによるものであることを特徴とする請求項１６記載の方法。
【請求項１９】
前記ステーションはアクセスポイントとの接続に失敗した場合に第一パケットを送信することを特徴とする請求項１２記載の方法。
【請求項２０】
前記第一ＳＳＩＤと関連情報はいずれも既知であることを特徴とする請求項１２記載の方法。
【請求項２１】
ステーションとアクセスポイント間の無線接続を設定する方法であって、
アクセスポイントは第一ＳＳＩＤ及び関連情報を含んだ第一パケットを受信し、
第一パケットに応じ、アクセスポイントは第一ＳＳＩＤを利用して当該第一ＳＳＩＤを含んだ第二パケットを送信し、ステーションと第一ＳＳＩＤ間の接続が確立されたことを当該ステーションに知らせ、
アクセスポイントは第一ＳＳＩＤとの接続を通して、第一ＳＳＩＤと別個のＳＳＩＤ及び関連セキュリティー情報を求めるための第三パケットを受信し、
第三パケットに応じ、アクセスポイントは第一ＳＳＩＤを利用して第二ＳＳＩＤ及び関連セキュリティー情報を含んだ第四パケットを送信し、
アクセスポイントは第二ＳＳＩＤ及び関連セキュリティー情報を含んだ第五パケットをステーションから受信し、
第五パケットに応じ、アクセスポイントは第二ＳＳＩＤを含んだ第六パケットを送信し、ステーションと第二ＳＳＩＤ間の接続が確立されたことを当該ステーションに知らせるステップを含むことを特徴とする方法。
【請求項２２】
前記ＳＳＩＤ関連の情報は当該ＳＳＩＤの関連セキュリティーモード及びキーを含むことを特徴とする請求項２１記載の方法。
【請求項２３】
前記第一パケットは、第一ＳＳＩＤを利用してアクセスポイントとの接続を確立するように求めるリクエストパケットであることを特徴とする請求項２１記載の方法。
【請求項２４】
前記第五パケットは、第二ＳＳＩＤを利用してアクセスポイントとの接続を確立するように求めるリクエストパケットであることを特徴とする請求項２１記載の方法。
【請求項２５】
前記方法は更に、第一ＳＳＩＤを利用して第二パケットを送信すると同時に、アクセスポイントは第一ＳＳＩＤと別個のＳＳＩＤを利用し、パケットをその他のステーションに送信するステップを含むことを特徴とする請求項２１記載の方法。
【請求項２６】
前記方法は更に、アクセスポイントは第二ＳＳＩＤを定めるステップを含むことを特徴とする請求項２１記載の方法。
【請求項２７】
前記第一ＳＳＩＤと関連情報はいずれも既知であることを特徴とする請求項２１記載の方法。
【発明の詳細な説明】
【技術分野】
【０００１】
この発明は無線セキュリティーの設定方法に関し、特に多重ＳＳＩＤ（サービスセット識別子）をサポートするアクセスポイントとステーション間の無線セキュリティーの設定方法に関する。
【背景技術】
【０００２】
ＳＳＩＤとはＷＬＡＮ（無線ローカルエリアネットワーク）を指定する識別子であり、ビーコンパケットに含まれて送信されることが一般である。このビーコンパケットを受信するか、またはＳＳＩＤを含んだリクエストを送信することによって、ステーションはアクセスポイントを検出できる。その際、ステーションが所要のＳＳＩＤを含んだリクエストをアクセスポイントに送信し、アクセスポイントが同じく所要のＳＳＩＤを含んだレスポンスをステーションに送信すれば、両者間の接続は確立される。
【０００３】
従来のアクセスポイントは毎秒数回の頻度でＳＳＩＤを含んだビーコンパケットを放送し、ステーションは受動的にビーコンパケットを受信してアクセスポイントを検出する。
【０００４】
従来の技術は更に、ＷＬＡＮセキュリティー設定を簡素化した方法を提供している。アクセスポイントに接続しようとすれば、まずアクセスポイントとステーションをトリガーする。それを受けて、アクセスポイントは所要のＳＳＩＤとセキュリティー情報を含んだパケットを放送し、トリガーされたステーションはこれらのパケットを受信してその内容によりセキュリティー設定を更新し、アクセスポイントとステーション間の接続を確立する。このようにアクセスポイントはトリガーに応じてセキュリティー情報を送信する。すなわち、アクセスポイントがトリガーにのみ対応するセキュリティー設定の情報を放送すれば、ステーションはユーザーの操作によらず、放送されたセキュリティー情報によりセキュリティー設定を自動的に行い、その結果、無線容量は節約される。しかし、セキュリティー情報を含んだパケットを放送するとき、アクセスポイントとステーション間のパケット通信は中断を余儀なくされ、かかる放送は数分間続くこともある。のみならず、アクセスポイントとステーションに対するトリガーはいずれも手動で行わなければならないから、不便である。
【発明の開示】
【発明が解決しようとする課題】
【０００５】
この発明は前述の問題を解決するため、多重ＳＳＩＤをサポートするアクセスポイントとステーション間の無線セキュリティーの設定方法を提供することを課題とする。
【課題を解決するための手段】
【０００６】
この発明は無線セキュリティーの設定方法を提供する。該方法は、ステーションで第一ＳＳＩＤ及び関連情報を含んだ第一パケットを送信し、第一パケットに応じ、アクセスポイントで第一ＳＳＩＤを利用して当該第一ＳＳＩＤを含んだ第二パケットを送信し、ステーションと第一ＳＳＩＤ間の接続が確立されたことを当該ステーションに知らせ、第一ＳＳＩＤと別個のＳＳＩＤ及び関連セキュリティー情報を求めるため、ステーションで第一ＳＳＩＤとの接続を通して第三パケットを送信し、第三パケットに応じ、アクセスポイントで第一ＳＳＩＤを利用して第二ＳＳＩＤ及び関連セキュリティー情報を含んだ第四パケットを送信し、ステーションで第二ＳＳＩＤ及び関連セキュリティー情報を含んだ第五パケットを送信し、第五パケットに応じ、アクセスポイントで第二ＳＳＩＤを含んだ第六パケットを送信し、ステーションと第二ＳＳＩＤ間の接続が確立されたことを当該ステーションに知らせるステップを含む。
【０００７】
この発明は更に、ステーションとアクセスポイント間の無線接続を設定する方法を提供する。該方法は、ステーションで第一ＳＳＩＤ及び関連情報を含んだ第一パケットを送信し、ステーションで第一ＳＳＩＤとの接続が確立されたことを知らせる第二パケットをアクセスポイントから受信し、第一ＳＳＩＤと別個のＳＳＩＤ及び関連セキュリティー情報を求めるため、ステーションで第一ＳＳＩＤとの接続を通して第三パケットを送信し、ステーションで第二ＳＳＩＤ及び関連セキュリティー情報を含んだ第四パケットをアクセスポイントから受信し、ステーションで第二ＳＳＩＤ及び関連セキュリティー情報を含んだ第五パケットを送信し、ステーションで第二ＳＳＩＤとの接続が確立されたことを知らせる第六パケットをアクセスポイントから受信するステップを含む。
【０００８】
この発明は更に、ステーションとアクセスポイント間の無線接続を設定する方法を提供する。該方法は、アクセスポイントで第一ＳＳＩＤ及び関連情報を含んだ第一パケットを受信し、第一パケットに応じ、アクセスポイントで第一ＳＳＩＤを利用して当該第一ＳＳＩＤを含んだ第二パケットを送信し、ステーションと第一ＳＳＩＤ間の接続が確立されたことを当該ステーションに知らせ、アクセスポイントで第一ＳＳＩＤとの接続を通して、第一ＳＳＩＤと別個のＳＳＩＤ及び関連セキュリティー情報を求めるための第三パケットを受信し、第三パケットに応じ、アクセスポイントで第一ＳＳＩＤを利用して第二ＳＳＩＤ及び関連セキュリティー情報を含んだ第四パケットを送信し、アクセスポイントで第二ＳＳＩＤ及び関連セキュリティー情報を含んだ第五パケットをステーションから受信し、第五パケットに応じ、アクセスポイントで第二ＳＳＩＤを含んだ第六パケットを送信し、ステーションと第二ＳＳＩＤ間の接続が確立されたことを当該ステーションに知らせるステップを含む。
【発明の効果】
【０００９】
この発明はステーションとアクセスポイント間の迅速かつ簡易なセキュリティー設定方法を提供している。ステーションは接続のために留保された既知の所定ＳＳＩＤを利用し、アクセスポイントにＳＳＩＤを求める。留保されたＳＳＩＤの値はステーションのドライバーに含まれるか、または手動で設定することができる。パケット放送が減少したため、この発明による方法を採択したアクセスポイントは送信電力の節約を可能にする。なお、この発明による方法はＷＬＡＮなどの無線システムに適し、いわゆるステーションとはコンピューター端末装置、携帯電話とＰＤＡ（パーソナルデジタルアシスタント）を含む。
【発明を実施するための最良の形態】
【００１０】
かかる方法の特徴を詳述するために、具体的な実施例を挙げ、図を参照して以下に説明する。
【００１１】
この発明は、パケット通信を中断せず、アクセスポイントとステーション間の無線セキュリティーを設定することを可能にする多重ＳＳＩＤ構造を利用している。アクセスポイントが用いる各ＳＳＩＤはそれぞれ個別のセキュリティー設定を有する。通常、主要なサービスに供するＳＳＩＤ以外にも、種々の目的に供するその他のＳＳＩＤは多数ある。多重ＳＳＩＤ構造によれば、ＷＬＡＮのユーザーは、単一のアクセスポイントから複数のネットワークまたは種々のセキュリティー設定を有するネットワークにアクセスすることができる。この発明では、アクセスポイントが用いる多重ＳＳＩＤのうちのひとつは、指定されたＳＳＩＤなどの特定情報を含んだビーコンフレームの送信にのみ供している。
【００１２】
図１を参照する。図１は多重ＳＳＩＤ及び複数のステーションをサポートするアクセスポイントのブロック図である。図１によれば、アクセスポイント１００はＳＳＩＤ１〜ＳＳＩＤ５など５組のＳＳＩＤをサポートする。ステーション１とステーション２はＳＳＩＤ１でアクセスポイント１００に無線接続し、ステーション４はＳＳＩＤ３でアクセスポイント１００に無線接続し、ステーション５とステーション６はＳＳＩＤ４でアクセスポイント１００に無線接続し、ステーション７はＳＳＩＤ５でアクセスポイント１００に無線接続する。したがって、アクセスポイント１００と接続していないのはステーション３のみである。ＳＳＩＤ２はアクセスポイント１００の接続設定のために留保される。この発明では、無線ネットワークサービスを取得しようとする権限のあるステーションには、アクセスポイントにリクエストを送信できるように、所定のＳＳＩＤと関連セキュリティー設定が与えられている。図１に示される実施例では、ステーション３はアクセスポイント１００と接続していないのみならず、接続を設定するための有効のＳＳＩＤ値を有しないが、ドライバーまたは手動で設定された既知のＳＳＩＤ２で作動する。
【００１３】
図２を参照する。ステーション３は既知のＳＳＩＤ２と関連セキュリティー情報を含んだリクエストパケット２０を送信し、アクセスポイント１００はパケット２０を受信し、それに含まれたＳＳＩＤ２を確認する。パケット２０を受信して確認したうえ、アクセスポイント１００は、ステーション３がＳＳＩＤ２に対応する有効なステーションであることを確認する。図３を参照する。リクエストパケット２０に応じ、アクセスポイント１００はＳＳＩＤ２を含んだレスポンスパケット３０をステーション３に送信し、ステーション３とＳＳＩＤ２間の接続が確立されたことを知らせる。図４を参照する。ステーション３はＳＳＩＤ２との接続を通してリクエストパケット４０を送信し、安全なＳＳＩＤと関連情報を求める。図５を参照する。リクエストパケット４０に応じ、アクセスポイント１００はステーション３に対して無線ネットワーク接続用のＳＳＩＤ３とセキュリティー情報（例えばセキュリティーモード及びキー）を指定するレスポンスパケット５０を送信する。レスポンスパケット５０の送信はリクエストパケット４０の受信後に行われる。図６を参照する。アクセスポイント１００からレスポンスパケット５０を受信した後、ステーション３は、アクセスポイント１００に与えられたＳＳＩＤ３及び関連セキュリティー情報を含んだリクエストパケット６０を送信して接続を求める。アクセスポイント１００はパケット６０を受信し、その中のＳＳＩＤ３を確認する。パケット６０を受信して確認したうえ、アクセスポイント１００は、ステーション３がＳＳＩＤ３に対応する有効なステーションであることを確認する。図７を参照する。リクエストパケット６０に応じ、アクセスポイント１００はＳＳＩＤ３を含んだレスポンスパケット７０をステーション３に送信し、ステーション３とＳＳＩＤ３間の接続が確立されたことを知らせる。このように、アクセスポイント１００とステーション３はＳＳＩＤ３で通信することが可能になる。
【００１４】
前記の通り、ＳＳＩＤ２でレスポンスパケット５０を送信する間に、アクセスポイント１００と、ＳＳＩＤ２以外のＳＳＩＤを利用するステーションとの間の通信は継続される。言い換えれば、この発明では、新規のステーションの接続設定が本来の接続及び通信を妨害しない。リクエストパケット２０は、アクセスポイント１００との接続が失敗した場合にステーション３から自動的に送信されるか、またはハードウェアもしくはソフトウェアを利用して手動で送信される。いずれの場合においても、アクセスポイント１００はリクエストパケットに応じたレスポンスパケット３０を自動的に送信する。
【実施例１】
【００１５】
図８を参照する。図８はこの発明の実施例１による無線接続の設定方法を表すフローチャートである。実施例１によれば、ステーションはトリガーに応じてセキュリティー設定を求める。
【００１６】
ステップ８００：開始。
ステップ８１０：アクセスポイントとの無線接続を確立するようにステーションをトリガーする。
ステップ８２０：ステーションは所定のＳＳＩＤ及び関連セキュリティー情報を含んだリクエストパケットを送信する。
ステップ８３０：アクセスポイントは所定のＳＳＩＤ及び関連セキュリティー情報を含んだリクエストパケットをステーションから受信し、それに含まれた当該所定のＳＳＩＤを確認する。
ステップ８４０：アクセスポイントは所定のＳＳＩＤを利用して当該所定のＳＳＩＤを含んだレスポンスパケットを送信し、ステーションと所定のＳＳＩＤ間の接続が確立されたことを当該ステーションに知らせる。
ステップ８５０：ステーションはセキュリティー情報及び所定ＳＳＩＤとの接続を利用してリクエストパケットを送信し、安全なＳＳＩＤ及び関連情報を求める。
ステップ８６０：後続の無線ネットワーク接続を確立するため、アクセスポイントはその他のステーションとの通常パケット通信を維持しながら、指定されたＳＳＩＤ及び関連セキュリティー情報を含んだレスポンスパケットをステーションに送信する。
ステップ８７０：ステーションはアクセスポイントに指定されたＳＳＩＤと関連情報を含んだリクエストパケットを送信して接続を求める。
ステップ８８０：アクセスポイントは指定されたＳＳＩＤを含んだレスポンスパケットを送信し、ステーションと当該指定されたＳＳＩＤ間の接続が確立されたことを当該ステーションに知らせる。
ステップ８９０：ステーションとアクセスポイント間の接続が確立される。
【実施例２】
【００１７】
図９を参照する。図９はこの発明の実施例２による無線接続の設定方法を表すフローチャートである。実施例２によれば、ステーションは、アクセスポイントとの接続を確立できない場合にセキュリティー設定を求める。
【００１８】
ステップ９００：開始。
ステップ９１０：ステーションはアクセスポイントとの接続に失敗する。
ステップ９２０：ステーションは所定のＳＳＩＤ及び関連セキュリティー情報を含んだリクエストパケットを送信する。
ステップ９３０：アクセスポイントは所定のＳＳＩＤ及び関連セキュリティー情報を含んだリクエストパケットをステーションから受信し、それに含まれた当該所定のＳＳＩＤを確認する。
ステップ９４０：アクセスポイントは所定のＳＳＩＤを利用して当該所定のＳＳＩＤを含んだレスポンスパケットを送信し、ステーションと所定のＳＳＩＤ間の接続が確立されたことを当該ステーションに知らせる。
ステップ９５０：ステーションはセキュリティー情報及び所定ＳＳＩＤとの接続を利用してリクエストパケットを送信し、安全なＳＳＩＤ及び関連情報を求める。
ステップ９６０：後続の無線ネットワーク接続を確立するため、アクセスポイントはその他のステーションとの通常パケット通信を維持しながら、指定されたＳＳＩＤ及び関連セキュリティー情報を含んだレスポンスパケットをステーションに送信する。
ステップ９７０：ステーションはアクセスポイントに指定されたＳＳＩＤと関連情報を含んだリクエストパケットを送信して接続を求める。
ステップ９８０：アクセスポイントは指定されたＳＳＩＤを含んだレスポンスパケットを送信し、ステーションと当該指定されたＳＳＩＤ間の接続が確立されたことを当該ステーションに知らせる。
ステップ９９０：ステーションとアクセスポイント間の接続が確立される。
【００１９】
この発明は無線セキュリティー設定を迅速にするものである。接続を求めるための所定ＳＳＩＤ及び関連セキュリティー情報の放送は、既に確立されたアクセスポイントとその他のステーション間のパケット通信を妨害しない。
【００２０】
なお、この発明は一般の使用者に対し簡易なセキュリティー設定方法を提供する。設定が困難であるため、従来アクセスポイントのセキュリティー設定はデフォルトとしてオフにされることが多いから、ステーションとアクセスポイントの接続は決して安全ではない。その代わりにこの発明を利用すれば、セキュリティー設定を簡単に行えるので、セキュリティー設定をデフォルトとしてオンにしてもかまわない。
【００２１】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２２】
この発明はステーションとアクセスポイント間の迅速かつ簡易なセキュリティー設定方法を提供している。ステーションは接続のために留保された既知の所定ＳＳＩＤを利用し、アクセスポイントにＳＳＩＤを求める。留保されたＳＳＩＤの値はステーションのドライバーに含まれるか、または手動で設定することができる。パケット放送が減少したため、この発明による方法を採択したアクセスポイントは送信電力の節約を可能にする。なお、この発明による方法はＷＬＡＮなどの無線システムに適し、いわゆるステーションとはコンピューター端末装置、携帯電話とＰＤＡを含む。
【図面の簡単な説明】
【００２３】
【図１】多重ＳＳＩＤ及び複数のステーションをサポートするアクセスポイントのブロック図である。
【図２】留保されたＳＳＩＤを含んだパケットを送信するステーションを表すブロック図である。
【図３】留保されたＳＳＩＤを含んだパケットを送信するアクセスポイントを表すブロック図である。
【図４】リクエストパケットを送信するステーションを表すブロック図である。
【図５】指定されたＳＳＩＤ及び関連セキュリティー情報を含んだレスポンスパケットをステーションに送信するアクセスポイントを表すブロック図である。
【図６】接続を求めるため、指定されたＳＳＩＤ及び関連セキュリティー情報を含んだリクエストパケットを送信するステーションを表すブロック図である。
【図７】指定されたＳＳＩＤを含んだレスポンスパケットを送信し、接続確立をステーションに知らせるアクセスポイントを表すブロック図である。
【図８】この発明の実施例１による無線接続の設定方法を表すフローチャートである。
【図９】この発明の実施例２による無線接続の設定方法を表すフローチャートである。
【符号の説明】
【００２４】
１００             アクセスポイント
２０、４０、６０   リクエストパケット
３０、５０、８０   レスポンスパケット
【図１】
2007189658.tif 000003
【図２】
2007189658.tif 000004
【図３】
2007189658.tif 000005
【図４】
2007189658.tif 000006
【図５】
2007189658.tif 000007
【図６】
2007189658.tif 000008
【図７】
2007189658.tif 000009
【図８】
2007189658.tif 000010
【図９】
2007189658.tif 000011